(57)【要約】      （修正有）【課題】魚介類採取具の爪について、爪先カバーの頻繁な交換を不要にする魚介類採取具の爪を提供する。【解決手段】魚介類採取具の爪は、第１方向に延びる基部１ａ、第１方向から第２方向に延びるように方向を転換する屈曲部１ｃ、及び屈曲部から第２方向に延びる作用部１ｄを有する弾性金属線材１と、魚介類採取具に取り付けて固定する固定部と、固定部に対して弾性金属線材の動きを緩衝するように、弾性金属線材を固定部に対して支持する緩衝部とを有し、弾性金属線材の作用部は、水底の土壌を掘り起こすことができるように所定の長さが確保され、作用部は、少なくとも一部が樹脂２０により覆われていてもよい。【選択図】図５
2020074771.tif 000002
【特許請求の範囲】
【請求項１】
魚介類採取具の爪であって、
第１方向に延びる基部、第１方向から第２方向に延びるように方向を転換する屈曲部、及び前記屈曲部から第２方向に延びる作用部を含む弾性金属線材と、
魚介類採取具に取り付けて固定する固定部と、
前記固定部に対して前記弾性金属線材の動きを緩衝するように、前記弾性金属線材を前記固定部に対して支持する緩衝部とを含み、
前記緩衝部は板ばねを含み、前記動きは前記板ばねが緩衝し、前記固定部は前記板ばねの一端に取り付けられ、前記弾性金属線材は前記板ばねの別の一端に取り付けられ、
前記固定部は、第１押え板、第１把持部材及び第２把持部材を含み、前記第１押え板と前記第１把持部材とで前記板ばねを挟持し、前記第１把持部材と前記第２把持部材とで前記魚介類採取具を挟持し、前記第１押え板、前記第１把持部材及び前記第２把持部材を共締めすることによって前記板ばねと前記魚介類採取具とを固定し、
前記弾性金属線材の作用部は、少なくとも一部が樹脂により覆われ、
水底の土壌を掘り起こすことができるように所定の長さが確保された魚介類採取具の爪。
【請求項２】
前記屈曲部は、第３方向に延び、前記第１方向に延びる基部と前記第２方向に延びる作用部とを接続する中間部をさらに含む請求項１に記載の魚介類採取具の爪。
【発明の詳細な説明】
【技術分野】
【０００１】
本発明は、ホタテ貝等を採取する魚介類採取具の爪に関するものである。
【背景技術】
【０００２】
海底下３ｃｍ程の所に生息しているホタテ貝等を漁獲する道具として、八尺と呼ばれる大きな熊手状の漁具が古くから使われている。この八尺を海底に沿って引き摺ると、八尺の後方に並べて取り付けてある多数の爪が海底の砂に約１０ｃｍ程度食い込み、海底の砂の中に潜り込んでいるホタテ貝等を掻き起こして採取することができる（例えば引用文献１を参照）。
【０００３】
このとき爪は貝だけでなく、海底の砂、砂利、岩石等も掘り起こすので非常に摩耗が激しいので、耐摩耗性に優れ寿命の長い爪が望まれている。そこで従来使用している魚介類採取具の爪においては、摩耗に応じて交換できるようにつめの先端部を交換可能な爪先カバーによって構成していた。引用文献１においては、爪先カバーの二股に別れている挟持部を爪の最下端部の両側に位置させ、挟持部に穿設されているピン挿入孔にピンを固く挿通することにより、爪先カバーを爪の先端部に固定状態にしていた。
【先行技術文献】
【特許文献】
【０００４】
【特許文献１】実用新案登録第３０７５０７８号公報
【発明の概要】
【発明が解決しようとする課題】
【０００５】
しかしながら、爪先カバーは、使用しているうちに、ピン挿入孔や挟持部が開いてきてしまうため、頻繁な交換が必要であった。また、爪先カバーは、使用しているうちに先端が摩耗し、海底に深く突き刺さらなくなるためにも、頻繁な交換が必要であった。
【０００６】
本発明は、上述の実情に鑑みて提案されるものであって、使用しても頻繁な爪先カバーの交換が必要でないような魚介類採取具の爪を提供することを目的とする。
【課題を解決するための手段】
【０００７】
上述の課題を解決するために、本出願に係る魚介類採取具の爪は、魚介類採取具の爪であって、第１方向に延びる基部、第１方向から第２方向に延びるように方向を転換する屈曲部、及び屈曲部から第２方向に延びる作用部を含む弾性金属線材と、魚介類採取具に取り付けて固定する固定部と、固定部に対して弾性金属線材の動きを緩衝するように、弾性金属線材を固定部に対して支持する緩衝部とを含み、弾性金属の作用部は、水底の土壌を掘り起こすことができるように所定の長さが確保されている。
【０００８】
作用部は、少なくとも一部が樹脂により覆われてもよい。屈曲部は、第３方向に延び、第１方向に延びる基部と第２方向に延びる作用部とを接続する中間部をさらに含んでもよい。
【発明の効果】
【０００９】
本発明によると、使用しているうちに開くピン挿入孔や挟持部を有する爪先カバーを使用してないため、部品交換なしで長期間にわたり魚介類採取具の爪を使い続けられるようになる。また、本発明によると、爪先カバーを使用することなく、直接に爪を海底に突き刺するため、摩耗して使用できなくなるまでの時間が長くなる。
【図面の簡単な説明】
【００１０】
【図１】本実施の形態の魚介類採取具の爪の概略的な構造を示す斜視図である。
【図２】本実施の形態の魚介類採取具の爪の概略的な構成を示す正面図である。
【図３】本実施の形態の魚介類採取具の緩衝部及び固定部の構造を示す部分正面図である。
【図４】本実施の形態の魚介類採取具の爪を八尺に取り付けた態様を示す斜視図である。
【図５】他の実施の形態の魚介類採取具の爪の概略的な構造を示す斜視図である。
【発明を実施するための形態】
【００１１】
以下、本実施の形態の魚介類採取具の爪について、図面を参照して詳細に説明する。本実施の形態の魚介類採取具の爪は、八尺の横棒に取り付けて使用することを想定している。図１は、本実施の形態の魚介類採取具の爪の概略的な構造を示す斜視図である。図２は、魚介類採取具の爪の正面図である。図３は、魚介類採取具の爪の固定部及び緩衝部を拡大して示した斜視図である。
【００１２】
本実施の形態の魚介類採取具の爪は、海底の土壌を掘り起こすための弾性金属線材１を有している。弾性金属線材１は、図中において、水平方向から略上方に向かう第１方向に延びた基部１ａ、基部１ａの端部であって鉛直上向きに近づくように折れ曲がった端部１ｂ、延びる方向を第１方向から鉛直下向きの方向に近づけた第２方向に転換させる屈曲部１ｃ、及び屈曲部１ｃから第２方向に延び、土壌を掘り起こす作用部１ｄを有している。屈曲部１ｃは、第１方向と第２方向との間の第３方向に延び、第１方向に延びる基部１ａ及び第２方向に延びる作用部１ｄを接続する中間部１ｅを含んでもよい。作用部１ｄは、所望の深さまで海底の土壌を掘り起こすことができるように、所定の長さが確保されている。弾性金属線材１は、所定の径を有する鋼材で構成されてもよい。
【００１３】
また、本実施の形態の魚介類採取具の爪は、八尺の横棒１００に取り付けて固定するための固定部を有している。固定部は、八尺の横棒１００を把持して固定する略直方体の形状を有する第１把持部材６及び第２把持部材７を有している。固定部において、八尺の横棒１００は、下側の第１把持部材６及び上側の第２把持部材７によって、それぞれの対向面に形成された溝で受けられて挟持され、スペーサ１１を介してボルト及びナット１５で第１把持部材６及び第２把持部材７を締結することによって把持するように固定されている。第１把持部材６及び第２把持部材７は、ステンレス鋼によって構成されてもよい。
【００１４】
さらに、本実施の形態の魚介類採取具の爪は、固定部に対する弾性金属線材１の動きを緩衝するように、弾性金属線材１を固定部に対して支持する板ばね２によって構成された緩衝部を有している。板ばね２は、長手方向に沿って、一端から略水平方向に延びる基部２ａ、基部２ａから上側の面を内側にして所定の曲率で曲がった屈曲部２ｂ、屈曲部２ｂから略一端の方向に水平方向から略下向きに延び、所定の間隙を挟んで基部２ａに対向する対向部２ｃ、及び対向部２ｃから他端まで鉛直上向きの方向に近づくように折れ曲がった上端部２ｄを有している。板ばね２は、所定の厚さを有するばね鋼で構成されてもよい。
【００１５】
本実施の形態の魚介類の採取具の爪において、板ばね２の基部２ａは、固定部に取り付けられている。固定部において、板ばね２の基部２ａは、上側の第１把持部材６及び下側の押え板５との間に挟持され、板ばね２の貫通孔を通ったボルト及びナット１５、１６で第１把持部材６及び押え板５を締結することによって固定されている。ここで、押え板５、第１把持部材６及び第２把持部材７は、ボルト及びナット１５によって共締めされている。押え板５は、ステンレス鋼によって構成されてもよい。
【００１６】
板ばね２の対向部２ｃは、弾性金属線材１の基部１ａに取り付けられている。弾性金属線材１の基部１ａは、それぞれ略直方体の形状を有する下側の第３把持部材９及び上側の第４把持部材１０によって、それぞれの対向面に形成された溝で受けられて挟持されている。板ばね２の対向部２ｃは、下側の押え板８及び上側の第３把持部材９によって挟持されている。このように押え板８、第３把持部材９及び第４把持部材１０の間にそれぞれ挟持された板ばね２の対向部２ｃ及び弾性金属線材１の基部１ａは、ボルト及びナット１７で押え板８、第３把持部材９及び第４把持部材１０を共締めすることによって固定されている。押え板８、第３把持部材９及び第４把持部材は、ステンレス鋼によって構成されてもよい。
【００１７】
板ばね２の上端部２ｄは、第３把持部材９及び第４把持部材１０の端面にそれぞれ対向して接し、第３把持部材９及び第４把持部材１０で挟持する板ばね２の対向部２ｃが、対向部２ｃの面内で回転することを防止している。弾性金属線材１の端部１ｂは、第４把持部材１０の貫通孔１０ｄを通って第４把持部材１０の上面に突出し、第１方向に延びる弾性金属線材１の基部１ａが第１方向に回転することを防止している。
【００１８】
本実施の形態の魚介類採取具の爪は、八尺の横棒に取り付けて魚介類を採取するときには、弾性金属線材１は作用部１ｄが直接に水底の土壌に突き刺さって土壌を掘り起こす。このため、作用部１ｄには所定の長さが確保されている。本実施の形態の魚介類採取具の爪は、弾性金属線材１の作用部１ｄが摩耗するまで長期間にわたって使用することができる。
【００１９】
また、本実施の形態の作用部１ｄは、基部１ａから屈曲部１ｃを通じて一本の弾性金属線材１が延長して形成されている。水底の土壌の掘削に爪先カバーを使用していないため、頻繁な爪先カバーの交換の必要がない。
【００２０】
なお、本実施の形態の魚介類採取具の爪においては、緩衝部に平ばね２を使用しているが、緩衝部には平ばね２に限らず例えばコイルばねを使用することもできる。
【００２１】
図４は、本実施の形態の魚介類採取具の爪を八尺に取り付けた態様を示す斜視図である。八尺２００の横棒１００には、複数の魚介類採取具の爪３０が櫛状に取り付けられている。八尺２００は引手１１０に取り付けられた図示しない引綱によって海底を引かれ、魚介類採取具の爪３０によって海底から掘り起こされたホタテ貝等の魚介類は網口１２０から袋状の網１３０に取り込まれる。
【００２２】
図５は、他の実施の形態の魚介類採取具の爪の概略的な構造を示す斜視図である。他の実施の形態の魚介類採取具の爪は、弾性金属線材１の作用部１ｄにおいて先端から所定長さが樹脂２０によって覆われている。他の構造は、図１から図３に示した本実施の形態の魚介類採取具の爪と同様であり、対応する要素に同様の符号を付している。
【００２３】
弾性金属線材１の作用部１ｄを覆う樹脂２０は、成形した樹脂２０を作用部１ｄに圧入してもよく、作用部１ｄに形成したねじ溝にねじ込んでもよい。また、樹脂２０は、インサート成形してもよく、塗装してもよい。樹脂２０は、必要に応じて交換してもよい。
【００２４】
他の実施の形態の魚介類採取具の爪においては、弾性金属線材１は樹脂２０によって覆われた作用部１ｄによって水底の土壌を掘り起こす。土壌と作用部１ｄの間に樹脂２０が介在するため、作用部１ｄの摩耗を防止することができ、魚介類採取具の爪を長期間にわたって使用することができる。また、爪によって掘り起こすホタテ貝などに弾性金属線材１の作用部１ｄは樹脂２０を介して触れることになるので、衝撃が和らげられて貝殻の破損などを低減することができる。
【産業上の利用可能性】
【００２５】
本発明は、水底の土壌を掘り起こして魚介類を採取する魚介類採取具の爪に使用することができる。
【符号の説明】
【００２６】
１  弾性金属線材
２  板ばね
２０  樹脂
１００  八尺の横棒
２００  八尺
【図１】
2020074771.tif 000003
【図２】
2020074771.tif 000004
【図３】
2020074771.tif 000005
【図４】
2020074771.tif 000006
【図５】
2020074771.tif 000007